(57)【要約】【課題】扉の上部背面側に設けられた入力操作ユニットに、水密式のスイッチを用いることなく、水が掛かった場合にもスイッチの機能が損なわれないようにすることが可能な、信頼性の高い食器洗浄機を提供する。【解決手段】入力操作ユニット６０が、(a)扉体の上部背面側に操作部を上方に向けて配設されたプッシュスイッチ７１と、(b)基板を覆い、プッシュスイッチの上方に位置する開口部６１と、その周縁に立設された堰部６７とを有するカバー体６２と、(c)開口部を上方から覆うキートップ６３とを備え、カバー体の上面には洗浄槽の後端側に向かって下り勾配の傾斜面６４が形成され、キートップは被支持部６６を支点として揺動可能に構成され、かつ、揺動の範囲において開口部および堰部の上方を覆い、その揺動によって、キートップから下方に突設された操作片６８が操作部７２を押圧してプッシュスイッチが操作されるようにする。【選択図】図５
2014117430.tif 000002
【特許請求の範囲】
【請求項１】
食器類が収容される洗浄槽と、食器洗浄用の洗浄液を循環させるポンプと、制御手段と、
前記洗浄槽が出し入れされる前面開口部を有し、前記制御手段から前記ポンプに送出される運転指令により前記ポンプを運転させて洗浄運転を実行する洗浄機本体と、
前記洗浄槽の前面に備え、前記洗浄機本体の前記前面開口部を開閉する扉体と、
前記洗浄槽が洗浄機本体内の所定収納位置まで収納されたときには前記洗浄槽に設けられた食器類の出し入れ用の上面開口部を封止し、前記洗浄槽が前記洗浄機本体から引き出されときには前記洗浄槽の前記上面開口部から離間するように、前記洗浄槽の出し入れに連動して前記上面開口部を開閉する内蓋と、
前記洗浄運転に関する指令を入力する指令入力用スイッチを具備する入力操作ユニットと
を備えた食器洗浄機において、
前記入力操作ユニットは、
前記扉体の上部背面側に配設され、操作部を上方に向けて基板上に配設された、前記指令入力用スイッチとしてのプッシュスイッチと、
前記基板の上方を覆い、前記プッシュスイッチの上方に位置する開口部と、前記開口部の周縁に立設された堰部とを具備するカバー体と、
前記開口部を上方から覆うキートップとを備え、
前記カバー体の上面には、前記洗浄槽の前端側から後端側に向かって下り勾配となる傾斜面が形成され、
前記キートップは、前記カバー体の前記開口部の後方に設けた支持部に支持される被支持部を支点として揺動可能に構成され、
前記キートップは、前記キートップの前記揺動の範囲において前記開口部および前記堰部の上方を覆い、
前記キートップの前記揺動によって、前記キートップから下方に突設された操作片が前記操作部を押圧して前記プッシュスイッチが操作されるように構成されていること
を特徴とする食器洗浄機。
【請求項２】
前記キートップには、前記操作片の上方に配置される第１操作面と、前記被支持部の上方に位置する第２操作面とが形成され、前記第１操作面または前記第２操作面のいずれかを押圧する操作を行うことにより、前記キートップが揺動して前記プッシュスイッチが操作されるように構成されていることを特徴とする請求項１記載の食器洗浄機。
【請求項３】
前記入力操作ユニットと、前記扉体との間に間隙が形成されていることを特徴とする請求項１または２記載の食器洗浄機。
【発明の詳細な説明】
【技術分野】
【０００１】
本発明は、食器洗浄機に関し、詳しくは、食器洗浄機本体の前面に設けられた開口部分を通じて洗浄槽を略水平方向に出し入れすることができるとともに、この洗浄槽の出し入れに連動して洗浄槽に設けられた食器類の出し入れ用の上面開口部を内蓋で開閉できるようにした引き出し式の食器洗浄機に関する。
【背景技術】
【０００２】
食器洗浄機には、キッチンカウンタの下方に設置され、引き出し式の収納部などの他の複数の設置体と並ぶ状態で配設されて、皿や茶碗などの食器類を洗浄するのに使用されるものがある。
【０００３】
そして、このような食器洗浄機を用いて食器類の洗浄を行う場合、まず、洗浄槽を洗浄機本体から引き出した引き出し状態にして、皿や茶碗などの食器類を洗浄槽の内部に収容する。その後、洗浄槽を洗浄機本体の内部の収納位置に収納した収納状態にして、洗浄運転を行う。洗浄運転が終了した後においては、洗浄槽を洗浄機本体から引き出した引き出し状態にして、皿や茶碗など食器類を洗浄槽から取り出す。
【０００４】
このような食器洗浄機の従来例として、洗浄槽の前部の上方側部分に、操作パネルが設けられ、洗浄槽の前部における操作パネルの下方側部分に、扉体が装備されたものがある（例えば、特許文献１参照）。
【０００５】
そして、特許文献１においては、扉体の表面が、キッチンカウンタの下方に配置される複数の収納部や固定パネルなどの設置体の表面と同一の色調を有し、同一の図柄となるように構成された、色合い面において美麗なシステムキッチンを構成することが可能な食器洗浄機が開示されている。
【０００６】
特許文献１の食器洗浄機は、洗浄槽の前部の上方側部分に設けられている操作パネルを別の部位に移動し、洗浄槽の前部の全面をキッチンカウンタの下方に配置される複数の収納部や固定パネルなどの設置体の表面と、同一の色調で、同一の図柄とした扉体で覆うことにより、さらに色合い面において外観を美麗な状態にすることが可能である。
【０００７】
【特許文献１】特開２００５−２５３８２４号公報
【発明の開示】
【発明が解決しようとする課題】
【０００８】
ところで、上記スイッチなどを有する操作パネルを別の部位に移動する場合、洗浄槽の前端側の上面、すなわち、洗浄槽を構成する周壁のうち前面側の周壁の上面が好適に利用できると考えられるが、その場合、洗浄槽の前面側の周壁は食器を収容する際に、水などの滴下や流下が起こりやすいため、操作パネルを洗浄槽の前端側の上面に配置する場合、シールを行うことが必要になる。
【０００９】
しかしながら、洗浄槽の大型化を回避する見地からは、洗浄槽の前端側上面の、操作パネル配置用の領域を大きくすることは困難であり、操作パネルに用いられているスイッチの周縁を、メンブレンスイッチのように水密的にシールするのに必要なスペースを確保することは容易でないのが実情である。
【００１０】
本発明は、上記の課題を解決するものであり、操作パネルに用いられているスイッチとして、メンブレンスイッチのような、周縁部を水密にしたスイッチを用いることを必要とせずに、水などの滴下や流下があった場合にも、操作パネルに用いられているスイッチの機能が損なわれことがなく、信頼性の高い食器洗浄機を提供することを目的とする。
【課題を解決するための手段】
【００１１】
上記の目的を達成するために、本発明の食器洗浄機にあっては、次の構成を採用している。
【００１２】
すなわち、請求項１記載の発明にかかる食器洗浄機は、
食器類が収容される洗浄槽と、食器洗浄用の洗浄液を循環させるポンプと、制御手段と、
前記洗浄槽が出し入れされる前面開口部を有し、前記制御手段から前記ポンプに送出される運転指令により前記ポンプを運転させて洗浄運転を実行する洗浄機本体と、
前記洗浄槽の前面に備え、前記洗浄機本体の前記前面開口部を開閉する扉体と、
前記洗浄槽が洗浄機本体内の所定収納位置まで収納されたときには前記洗浄槽に設けられた食器類の出し入れ用の上面開口部を封止し、前記洗浄槽が前記洗浄機本体から引き出されときには前記洗浄槽の前記上面開口部から離間するように、前記洗浄槽の出し入れに連動して前記上面開口部を開閉する内蓋と、
前記洗浄運転に関する指令を入力する指令入力用スイッチを具備する入力操作ユニットと
を備えた食器洗浄機において、
前記入力操作ユニットは、
前記扉体の上部背面側に配設され、操作部を上方に向けて基板上に配設された、前記指令入力用スイッチとしてのプッシュスイッチと、
前記基板の上方を覆い、前記プッシュスイッチの上方に位置する開口部と、前記開口部の周縁に立設された堰部とを具備するカバー体と、
前記開口部を上方から覆うキートップとを備え、
前記カバー体の上面には、前記洗浄槽の前端側から後端側に向かって下り勾配となる傾斜面が形成され、
前記キートップは、前記カバー体の前記開口部の後方に設けた支持部に支持される被支持部を支点として揺動可能に構成され、
前記キートップは、前記キートップの前記揺動の範囲において前記開口部および前記堰部の上方を覆い、
前記キートップの前記揺動によって、前記キートップから下方に突設された操作片が前記操作部を押圧して前記プッシュスイッチが操作されるように構成されていること
を特徴としている。
【００１３】
また、本発明の食器洗浄機においては、前記キートップには、前記操作片の上方に配置される第１操作面と、前記被支持部の上方に位置する第２操作面とが形成され、前記第１操作面または前記第２操作面のいずれかを押圧する操作を行うことにより、前記キートップが揺動して前記プッシュスイッチが操作されるように構成されていることが望ましい。
【００１４】
また、本発明の食器洗浄機においては、前記入力操作ユニットと、前記扉体との間に間隙が形成されていることが好ましい。
【発明の効果】
【００１５】
本願の請求項１記載の発明にかかる食器洗浄機は、上述のように構成されていることから、
（１）入力操作ユニットに上方から水が掛かったときにも、開口部の周縁に堰部が立設されたカバー体などにより、プッシュスイッチに水が達することが防止されるため、プッシュスイッチを防水にする必要がないことから、プッシュスイッチとして防水型ではないプッシュスイッチのような小型のスイッチを使用することができる、
（２）入力操作ユニットの上方から水が掛かったときに、その水は洗浄槽の奥側（後方）に向かって流れ、洗浄槽に流れ込むことになるため、入力操作ユニットにかかる水が機外に漏出することを防止することができる、
（３）キートップの揺動によって、プッシュスイッチが操作されることから、使用者は、キートップを揺動させることが可能な範囲で、いずれの方向からでもキートップを操作して洗浄運転に関する指令を入力することができる、
というような効果を得ることが可能になる。
【００１６】
また、キートップに、操作片の上方に配置される第１操作面と、被支持部の上方に位置する第２操作面とを形成し、第１操作面または第２操作面のいずれかを押圧する操作を行うことにより、キートップを揺動させてプッシュスイッチを操作することができるようにした場合、第１操作面および第２操作面の複数の面からキートップを操作することが可能になり、操作性を向上させることが可能になる。
【００１７】
また、入力操作ユニットと、扉体との間に間隙が形成されるようにした場合、扉体の上部に、上記間隙と対向する扉体の前面側と、上記間隙に面する扉体の後面側とから、扉体を挟み込むように取っ手を取り付けることが可能になり、操作性を向上させることができる。
【図面の簡単な説明】
【００１８】
【図１】本発明の実施形態にかかる食器洗浄機の概略構成を示す斜視図である。
【図２】本発明の実施形態にかかる食器洗浄機の構成を示す斜視図である。
【図３】同食器洗浄機の、システムキッチンのキッチンカウンタの下方への設置態様を示す図である。
【図４】本発明の実施形態にかかる食器洗浄機の要部構成を示す平面図である。
【図５】図４のＡ−Ａ線断面図である。
【図６】図４のＢ−Ｂ線断面図である。
【図７】本発明の実施形態にかかる食器洗浄機の要部構成を示す斜視図である。
【図８Ａ】本発明の実施形態にかかる食器洗浄機の入力操作ユニットの構成および動作を説明する断面図である。
【図８Ｂ】本発明の実施形態にかかる食器洗浄機の入力操作ユニットの構成および動作を説明する断面図である。
【図９】本発明の実施形態にかかる食器洗浄機の入力操作ユニットの構成および動作を説明する要部拡大斜視図である。
【図１０】本発明の実施形態にかかる食器洗浄機の入力操作ユニットの構成および動作を説明する要部拡大斜視図である。
【図１１】本発明の実施形態にかかる食器洗浄機の入力操作ユニットの構成および動作を説明する要部拡大斜視図である。
【図１２】本発明の実施形態にかかる食器洗浄機の入力操作ユニットに用いられているキートップの構成を示す斜視図である。
【図１３】本発明の実施形態の食器洗浄機が備えている把手とは異なる把手を備えた食器洗浄機の例を示す斜視図である。
【図１４】図１３の食器洗浄機の要部を拡大して示す図である。
【図１５】同食器洗浄機を構成する洗浄槽位置センサを示す図であり、（イ）は洗浄槽が引き出されたときの状態を示す図、（ロ）洗浄槽を所定収納位置に収納されたときの状態を示す図である。
【発明を実施するための形態】
【００１９】
以下、本発明の実施形態を示して、その特徴とするところをさらに詳しく説明する。
【００２０】
（食器洗浄機の基本構成）
図１に示すように、本発明の実施形態の食器洗浄機Ｓは、略箱状で、前面側に、洗浄槽２を出し入れするための前面開口部３が形成された洗浄機本体（洗浄機本体）１を備えており、洗浄機本体１の内側の収納空間内には上述の洗浄槽２が、上記前面開口部３を通して略水平方向に出し入れすることができるような態様で収容されている。
【００２１】
そして、この洗浄槽２の上面側には、食器類５や洗浄かご（図示せず）を出し入れするための上面開口部４が設けられている。また、洗浄機本体１の内側の上部には、洗浄槽２の上面開口部４を開閉する内蓋１０が略上下方向に昇降可能に保持された状態で配置されている。さらに、洗浄機本体１内には、洗浄運転を実行するために、図示しないが、食器洗浄用の洗浄液を循環させるポンプが設けられている。
【００２２】
また、洗浄機本体１の内側には、洗浄槽２を出し入れする際のガイド用の左右一対のレール７が配設され、その左右一対のレール７を介して洗浄槽２が洗浄機本体１の収納空間に対して、矢印ａで示す収納移動方向と、矢印ｂで示す引き出し移動方向へスライド移動することができるように構成されている。なお、洗浄槽２は、引き出し状態において、その大部分を洗浄機本体１の外方に露出させる状態に引き出すことができるように構成されている。
【００２３】
つまり、引き出し式の食器洗浄機Ｓは、洗浄槽２を洗浄機本体１から引き出した引き出し状態において、食器類などの洗浄対象物を洗浄槽２の内部に収納し、洗浄槽２を洗浄機本体１の収納位置に収納した収納状態において洗浄槽２の上面開口部４が、内蓋１０にて閉塞され、食器類５を洗浄する洗浄運転を行うように構成されている。
【００２４】
なお、洗浄槽２の下方には、洗浄ポンプなどの機器類が、洗浄槽２に組付けられた状態で配設され、洗浄槽２の内部には、洗浄ノズルや加熱用ヒータなどが配設され、また、洗浄槽２の内部には、食器類などの洗浄対象物を収納する洗浄かごが、取出し自在に収納されることになるが、それらの構成は周知であるので、説明を省略する。
【００２５】
図１、図２、図４などに示すように、洗浄槽２の前部には、洗浄槽２の収納状態において洗浄機本体１の洗浄槽挿脱用開口３を閉じる矩形板状の扉体９が設けられている。
【００２６】
具体的には、扉体９は、その横幅が洗浄機本体１の横幅よりも少し大きく、且つ、その上下幅が洗浄機本体１の上下幅と同じ大きさとなるように構成されている。
【００２７】
本実施形態の扉体９は、洗浄槽２の前部の上下幅方向の全体および横幅方向の全体を覆うように構成され、扉体９の上部側箇所には、引き出し操作用の把手部（取っ手）８が設けられている。
【００２８】
洗浄槽２の前端部の上方箇所、つまり、扉体９の上部背面側（すなわち、扉体９の上部の後方側箇所）には、洗浄運転に関する種々の情報を指令する操作パネルＰ（図２、図４、図５、図６、図７参照）が装備されており、洗浄槽２を引き出し状態にして、操作パネルＰにて洗浄運転に関する情報を入力し、その後、洗浄槽２を収納状態することによって、運転制御部（図示せず）が、洗浄槽位置センサ５３（図１５（イ）、（ロ）参照）によって洗浄槽２の洗浄機本体１への収納を検出し、操作パネルＰにて入力された情報に基づいて、洗浄ポンプや加熱用ヒータなどを作動させて洗浄運転を実行するように構成されている。
なお、図７においては、扉体９などの図示を省略してある。
【００２９】
また、洗浄槽位置センサ５３は、図１５(イ)、(ロ)に示すように、洗浄槽２の後端部には取付板５２が設けられ、この取付板５２に洗浄槽位置センサ５３が固定されるとともに、この洗浄槽位置センサ５３に近接してレバー５４が揺動自在に取り付けられている。また、洗浄機本体１のレール７の取付板５５にはレバー５４に対向する位置にレバー押圧用の突起部５６が形成されている。
【００３０】
この洗浄槽位置センサ５３は、洗浄槽２が所定収納位置（最奥）にあるか否かを検出するものであって、例えば投光部５３ａと受光部５３ｂとが対向配置されたフォトカプラからなる。
【００３１】
そして、図１５(イ)に示すように、レバー５４が突起部５５から離間していて投光部５３ａと受光部５３ｂとの間に位置するときには、受光部５３ｂの出力がオフするので、洗浄槽２が所定収納位置（最奥）から前方に引き出されていることが検出され、また、図１５(ロ)に示すように、レバー５４が突起部５５に押圧されて投光部５３ａと受光部５３ｂとの間から離脱したときには、受光部５３ｂの出力がオンするので、洗浄槽２が所定収納位置に収納されたことが検出されるように構成されている。
【００３２】
なお、本実施形態では、洗浄槽２が所定収納位置（最奥）から所定の検出引き出し量Ｈ（たとえば、３ｍｍ）以上前方に引き出された場合に、レバー５４が突起部５５から離間していて投光部５３ａと受光部５３ｂとの間に位置し、受光部５３ｂの出力がオフして、洗浄槽２が所定収納位置（最奥）から前方に引き出されたことが検出される。
【００３３】
また、洗浄槽２が収納状態であること検出する上述の洗浄槽位置センサ５３に加え、洗浄槽２を収納状態にロックするロック装置が装備されており、上記運転制御部が、洗浄槽２が収納状態であることを確認しながら、洗浄運転を実行するように構成されている。このロック装置については、特開２００９−１４２５３９などのように種々提案されているものであり、ここでは説明を省略する。
【００３４】
本実施形態の食器洗浄機Ｓは、図３に示すように、システムキッチンのキッチンカウンタＣの下方に、引き出し式の収納部や固定パネルなどの設置体Ｄと並べる状態で設置されるものであって、扉体９の表面が、設置体Ｄの前面部Ｅの表面と、同一の色調で、同一の図柄となるように構成されている。なお、図３においては、食器洗浄機Ｓの下方に、設置体Ｄとして、引き出し式の収納部が配置される場合を例示している。
【００３５】
（入力操作ユニットの構成）
運転に関する指令を入力する指令入力用スイッチとしてのプッシュスイッチ（タクトスイッチ）７１を具備する入力操作ユニット６０を備え、この入力操作ユニット６０は、洗浄槽２の前端部の上方箇所における、扉体９の上部背面側（すなわち、扉体９の上部の後方側箇所）に配設される操作パネルＰに配設されている（図２、図４、図５、図７、図８Ａ、図８Ｂなど参照）。
【００３６】
入力操作ユニット６０は、操作部７２を上方に向けて基板（プリント基板）７３上に配設されたプッシュスイッチ（タクトスイッチ）７１と、プリント基板７３の上方を覆い、プッシュスイッチ７１の上方に位置する開口部６１を具備するカバー体６２と、開口部６１を上方から覆うキートップ６３を備えている（図５、図９、図１０など参照）。なお、図５は図４のＡ−Ａ断面を表す。
【００３７】
プリント基板７３には操作パネルＰにおいて種々の表示を行うためのＬＥＤ７４が配置されている（図４のＢ−Ｂ断面である図６参照）。
カバー体６２の上面には、洗浄槽２の前端側から後端側に向かって下り勾配となる傾斜面６４が形成されている（図１０参照）。
【００３８】
キートップ６３は、開口部６１の後方に設けた支持部６５（図８Ａ、図８Ｂ、図１０など）に支持される被支持部６６（図８Ａ、図８Ｂ、図１２）を支点として揺動可能に構成される。
なお、図１０では、キートップ６３の記載を省略してある。
【００３９】
開口部６１の左右および上側の周縁には堰部６７が立設されている（図１０）。キートップ６３の外形は、平面視略矩形の後述する第１操作面６９Ａを上面とし（図９）、左右辺の両側から垂下壁７７を垂下立設し（図１２）、キートップ６３がカバー体６２に装着されたときに後方側となる後方辺から後述する第２操作面６９Ｂとなる操作面を垂下立設し（図１１、図１２）、第２操作面６９Ｂとなる操作面の下端が被支持部６６を構成する（図１２）。
【００４０】
図１１、図１２に示すように、キートップ６３は、その下に突設した操作片６８を開口部６１に上方から挿入してカバー体６２に装着され、図８Ａ、図８Ｂに示すように、キートップ６３は、キートップ６３の揺動の範囲において開口部６１および堰部６７の上方を覆うように構成されている。
【００４１】
なお、キートップ６３の揺動の範囲において左右の垂下壁７７は、左右の堰部６７の両側外方に位置しており、キートップ６３は、左右の堰部６７および開口部６１を囲むようにして上方から覆うように構成されている。
【００４２】
操作片６８がプッシュスイッチ（タクトスイッチ）７１の操作部７２を押圧しない図８Ａの状態から、キートップ６３の被支持部６６を支点とする揺動によって図８Ｂの状態に至り、キートップ６３から下方に突設された操作片６８がプッシュスイッチ７１の操作部７２を押圧してプッシュスイッチ７１が操作され、図示しない制御部に入力される。
【００４３】
上述のような構成を備えているので、入力操作ユニット６０の上から水が掛かった場合、掛かった水は傾斜面６４における堰部６７の外側を洗浄槽側に流動する。そして、キートップ６３が開口部６１を囲むようにして上方から覆っているため、開口部６１から水が浸入することがなく、プッシュスイッチ（タクトスイッチ）７１が水に濡れるおそれがないため、プッシュスイッチ７１を防水にする必要がなく、プッシュスイッチ７１として一般に市販されている防水型ではない小型のプッシュスイッチを使用することができる。
【００４４】
また、入力操作ユニット６０の上から水が掛かったときに、その水は洗浄槽２側（入力操作ユニット６０の後方側）に向けて流れ、洗浄槽２に流れ込むため、水が食器洗浄機本体１の外に漏出することがなく、図示しない排水ポンプによって、洗浄用の湯水と共に機外に排出することができる。
【００４５】
また、本実施形態においては、キートップ６３には、操作片６８の上方に配置される第１操作面６９Ａと被支持部６６の上方に位置する第２操作面６９Ｂとを形成して、第１操作面６９Ａまたは第２操作面６９Ｂのいずれかを押圧する操作を行うことで、キートップ６３が被支持部６６を支点として揺動してプッシュスイッチ（タクトスイッチ）７１が操作される。
【００４６】
すなわち、キートップ６３の被支持部６６を支点とする揺動によって、プッシュスイッチ（タクトスイッチ）７１が操作されるので、使用者は、キートップ６３を被支持部６６を支点として揺動させるいずれの方向からの操作（第１操作面６９Ａまたは第２層操作面６９Ｂのいずれの方向からの操作）でも、キートップ６３を操作して、制御部に対し、洗浄運転に関する指令の入力ができる。
【００４７】
上述のように、キートップ６３の操作面が一つに限定されないので操作性を向上させることが可能になる。
【００４８】
キートップ６３には、操作片６８と被支持部６６とで囲まれた凹部７５が形成され、キートップ６３をカバー体６２に装着する際に、開口部６１の後方辺に形成される厚肉部７６が操作片６８を弾性変形させながら凹部７５に嵌入する。
【００４９】
このため、キートップ６３をカバー体６２から取り外すときには、厚肉部７６が凹部７５から抜け出るために操作片６８が弾性変形する必要があり、キートップ６３のカバー体６２からの外れが防止される。
【００５０】
また、本実施形態では、扉体９が洗浄槽２の前面に取り付けられたときに、入力操作ユニット６０と扉体９との間に間隙Ｇが形成されるように構成されている。
【００５１】
これにより、本実施形態においては、扉体９の上部に、間隙Ｇと対向する扉体９の前面と間隙Ｇに面する扉体９の後面との間を挟みこんで、上述の取っ手８とは別タイプの取っ手８Ａを取り付けることができる。（図１３、図１４）
【００５２】
なお、本発明は上記の実施形態に限定されるものではなく、本発明の範囲内において種々の変形を加えることが可能である。
【符号の説明】
【００５３】
１      食器洗浄機本体
２      洗浄槽
３      前面開口部
４      上面開口部
５      食器類
７      レール
８      把手部（取っ手）
８Ａ    別タイプの取っ手
９      扉体
１０    内蓋
５３    洗浄槽位置センサ
６０    入力操作ユニット
６１    開口部
６２    カバー体
６３    キートップ
６４    傾斜面
６５    支持部
６６    被支持部
６７    堰部
６８    操作片
６９Ａ  第１操作面
６９Ｂ  第２操作面
７１    プッシュスイッチ（タクトスイッチ）
７２    プッシュスイッチの操作部
７３    基板
７４    ＬＥＤ
７５    凹部
７６    厚肉部
７７    垂下壁
Ｃ      キッチンカウンタ
Ｄ      設置体
Ｅ      設置体Ｄ前面部
Ｇ      間隙
Ｐ      操作パネル
Ｓ      食器洗浄機
【図１】
2014117430.tif 000003
【図２】
2014117430.tif 000004
【図３】
2014117430.tif 000005
【図４】
2014117430.tif 000006
【図５】
2014117430.tif 000007
【図６】
2014117430.tif 000008
【図７】
2014117430.tif 000009
【図８Ａ】
2014117430.tif 000010
【図８Ｂ】
2014117430.tif 000011
【図９】
2014117430.tif 000012
【図１０】
2014117430.tif 000013
【図１１】
2014117430.tif 000014
【図１２】
2014117430.tif 000015
【図１３】
2014117430.tif 000016
【図１４】
2014117430.tif 000017
【図１５】
2014117430.tif 000018